(57)【要約】【課題】パケットロスを低減して音声の途切れなどの通話品質の劣化を防止することができ、相手との会話を支障なく行うことができる音声伝送方法を提供することを目的とする。【解決手段】ＶｏＩＰ技術を利用して音声パケットをリアルタイムで伝送する音声伝送方法であって、ネットワーク３におけるロスや遅延揺らぎ吸収バッファのオーバーフロー・アンダーフローによって音声パケットが欠落した場合に、欠落した音声パケットの一つ前の音声パケットで欠落した音声パケットを補間して再生する。【選択図】図１
2005157045.tif 000002
【特許請求の範囲】
【請求項１】
ＶｏＩＰ技術を利用して音声パケットをリアルタイムで伝送する音声伝送方法であって、
ネットワークにおけるロスや遅延揺らぎ吸収バッファのオーバーフロー・アンダーフローによって音声パケットが欠落した場合に、前記欠落した音声パケットの一つ前の音声パケットで前記欠落した音声パケットを補間して再生することを特徴とする音声伝送方法。
【請求項２】
ＶｏＩＰ技術を利用して音声パケットをリアルタイムで伝送する音声伝送方法であって、ネットワークにおけるロスや遅延揺らぎ吸収バッファのオーバーフロー・アンダーフローによって音声パケットが欠落した場合に、前記欠落した音声パケットを次の音声パケットを受信するまで繰り返し前の音声パケットで補間して再生することを特徴とする音声伝送方法。
【請求項３】
ＶｏＩＰ技術を利用して音声パケットをリアルタイムで伝送する音声伝送方法であって、ネットワークにおけるロスや遅延揺らぎ吸収バッファのオーバーフロー・アンダーフローによって音声パケットが欠落した場合に、前記欠落した音声パケットの後ろの音声パケットで前記欠落した音声パケットを補間して再生することを特徴とする音声伝送方法。
【請求項４】
ＶｏＩＰ技術を利用して音声パケットをリアルタイムで伝送する音声伝送方法であって、ネットワークにおけるロスや遅延揺らぎ吸収バッファのオーバーフロー・アンダーフローによって音声パケットが欠落した場合に、前記欠落した音声パケットの前後の音声パケットで平均した音声パケットで前記欠落した音声パケットを補間して再生することを特徴とする音声伝送方法。
【請求項５】
ＶｏＩＰ技術を利用して音声パケットをリアルタイムで伝送する音声伝送方法であって、ネットワークにおけるロスや遅延揺らぎ吸収バッファのオーバーフロー・アンダーフローによって音声パケットが欠落した場合に、前記欠落した音声パケットをホワイトノイズデータで補間して再生することを特徴とする音声伝送方法。
【請求項６】
ＶｏＩＰ技術を利用して音声パケットをリアルタイムで伝送する音声伝送方法であって、ネットワークにおけるロスや遅延揺らぎ吸収バッファのオーバーフロー・アンダーフローによって音声パケットが欠落した場合に、前記欠落した音声パケットを通話中に学習したホワイトノイズデータで補間して再生することを特徴とする音声伝送方法。
【請求項７】
ＶｏＩＰ技術を利用して音声パケットをリアルタイムで伝送する音声伝送方法であって、ネットワークにおけるロスや遅延揺らぎ吸収バッファのオーバーフロー・アンダーフローによって音声パケットが欠落した場合に、前記欠落した音声パケットを音声パケットの前半部分は前の音声パケットで、後半部分は後の音声パケットで補間して再生することを特徴とする音声伝送方法。
【請求項８】
デジタルデータをアナログデータに復号した後にアナログフィルタを設けることを特徴とする請求項１乃至７のいずれか１に記載の音声伝送方法。
【発明の詳細な説明】
【技術分野】
【０００１】
本発明は、ＶｏＩＰ技術を利用して音声パケットをリアルタイムで伝送する音声伝送方法に関するものである。
【背景技術】
【０００２】
従来のＶｏＩＰ技術を利用したＩＰ電話の通話のしくみについて、図９を用いて説明する。図９はＩＰ電話の基本的な通話のしくみを示す説明図である。
【０００３】
図９において、１０１はマイク、１０２は符号器、１０３は無音圧縮器、１０４は音声圧縮器、１０５はパケット生成器、１０６はＩＰネットワーク、１０７は揺らぎ吸収バッファ、１０８はパケット分解器、１０９は音声無音伸長器、１１０は音声補間器、１１１は復号器、１１２はスピーカである。
【０００４】
ＩＰ電話の通話のプロセスは、まず、送話側の音声（アナログ）情報を符号器１０２でデジタルデータに変換する。このままではデータ量が大きいためデジタルデータの圧縮を無音圧縮器１０３および音声圧縮器１０４で行う。その圧縮方式では、ＩＴＵ−Ｔ勧告により電話網を仮定した音声圧縮・伸張技術を規定している。現在最も一般的に使用されている音声圧縮・伸張方式は、Ｇ．７１１１，Ｇ．７２９（無音圧縮内蔵），Ｇ．７２３．１の３種類である。そして、次に、圧縮されたデジタルデータをＩＰネットワークに送り出す為にパケット生成器１０５でＶｏＩＰパケット（単に、「ＩＰパケット」ともいう）化しなければならない。
【０００５】
ＩＰパケット化されたデータは、ＩＰネットワーク上で他のＩＰパケットと同様に宛先ＩＰアドレスを見て転送される。転送された受話側では、ＩＰネットワーク上で発生したジッタ（遅延揺らぎ：送信側で一定間隔で送出したＩＰパケットが受信側では等間隔には到着しない現象）が発生し、音声の到着間隔が長くなると、通話中に音声がブツブツと途切れる状態が発生する。このジッタを吸収して円滑に再生されるように揺らぎ吸収バッファ１０７を設けている。この揺らぎ吸収バッファ１０７でＩＰネットワーク内で発生したジッタを抑えると、あとは送話側の処理と逆の処理を行う。まず、ＩＰネットワーク上に送り出す為にパケット化したデータをパケット分解器１０８でパケット分解する。次に、圧縮された音声データを音声無音伸長器１０９で伸長する。そして、一部音声データで欠落した部分は音声補間器１１０で音声補間を行い、復号器１１１でデジタルデータからアナログデータに戻して、スピーカ１１２より送話側からの音声を聞くことができ、通話することができる。
【０００６】
しかし、ＶｏＩＰ技術を利用したＩＰ電話におけるデータ転送においてのパケットロスは、ネットワーク上のノードにおいてトラフィックが集中して輻輳が発生した時や音声パケットの揺らぎ吸収に失敗した場合にパケットが破棄されることで起こる可能性がある。更に、音声パケットはリアルタイム性を要求される為に、音声パケットの再送処理を行わないでパケットロスの割合が増加すると、著しい通話品質劣化を招き、会話が成り立たないといった事を引き起こす。従って、パケットロスを低減して音声の途切れといった通話品質の劣化を防ぎ、相手との会話を支障なく行える事が望まれる（例えば特許文献１参照）。
【特許文献１】特開２００２−２６１８１９号公報
【発明の開示】
【発明が解決しようとする課題】
【０００７】
このように、従来の音声伝送方法では、ネットワーク上のノードにおいてトラフィックが集中して輻輳が発生した時や音声パケットの揺らぎ吸収に失敗した場合にパケットロスが発生すると、著しい通話品質劣化を招き、会話が成り立たないという問題点を有していた。
【０００８】
この音声伝送方法では、パケットロスを低減して音声の途切れなどの通話品質の劣化を防止し、相手との会話を支障なく行うことが要求されている。
【０００９】
本発明は、この要求を満たすため、パケットロスを低減して音声の途切れなどの通話品質の劣化を防止することができ、相手との会話を支障なく行うことができる音声伝送方法を提供することを目的とする。
【課題を解決するための手段】
【００１０】
上記課題を解決するために本発明の音声伝送方法は、ＶｏＩＰ技術を利用して音声パケットをリアルタイムで伝送する音声伝送方法であって、ネットワークにおけるロスや遅延揺らぎ吸収バッファのオーバーフロー・アンダーフローによって音声パケットが欠落した場合に、欠落した音声パケットの一つ前の音声パケットで欠落した音声パケットを補間して再生する構成を備えている。
【００１１】
これにより、パケットロスを低減して音声の途切れなどの通話品質の劣化を防止することができ、相手との会話を支障なく行うことができる音声伝送方法が得られる。
【発明の効果】
【００１２】
本発明の音声伝送方法は、ＶｏＩＰ技術を利用して音声パケットをリアルタイムで伝送する音声伝送方法であって、ネットワークにおけるロスや遅延揺らぎ吸収バッファのオーバーフロー・アンダーフローによって音声パケットが欠落した場合に、欠落した音声パケットの一つ前の音声パケットで欠落した音声パケットを補間して再生することにより、音声の途切れといった通話品質の劣化を防止することができ、相手との会話を支障なく行うことができるという有利な効果が得られる。
【００１３】
さらに、ＶｏＩＰ技術を利用して音声パケットをリアルタイムで伝送する音声伝送方法であって、ネットワークにおけるロスや遅延揺らぎ吸収バッファのオーバーフロー・アンダーフローによって音声パケットが欠落した場合に、欠落した音声パケットを次の音声パケットを受信するまで繰り返し前の音声パケットで補間して再生することにより、音声の途切れといった通話品質の劣化を防止することができ、相手との会話を支障なく行うことができるという有利な効果が得られる。
【００１４】
さらに、ＶｏＩＰ技術を利用して音声パケットをリアルタイムで伝送する音声伝送方法であって、ネットワークにおけるロスや遅延揺らぎ吸収バッファのオーバーフロー・アンダーフローによって音声パケットが欠落した場合に、欠落した音声パケットの後ろの音声パケットで欠落した音声パケットを補間して再生することにより、音声の途切れといった通話品質の劣化を防止することができ、相手との会話を支障なく行うことができるという有利な効果が得られる。
【００１５】
さらに、ＶｏＩＰ技術を利用して音声パケットをリアルタイムで伝送する音声伝送方法であって、ネットワークにおけるロスや遅延揺らぎ吸収バッファのオーバーフロー・アンダーフローによって音声パケットが欠落した場合に、欠落した音声パケットの前後の音声パケットで平均した音声パケットで欠落した音声パケットを補間して再生することにより、音声の途切れといった通話品質の劣化を防止することができ、相手との会話を支障なく行うことができるという有利な効果が得られる。
【００１６】
さらに、ＶｏＩＰ技術を利用して音声パケットをリアルタイムで伝送する音声伝送方法であって、ネットワークにおけるロスや遅延揺らぎ吸収バッファのオーバーフロー・アンダーフローによって音声パケットが欠落した場合に、欠落した音声パケットをホワイトノイズデータで補間して再生することにより、音声の途切れといった通話品質の劣化を防止することができ、相手との会話を支障なく行うことができるという有利な効果が得られる。
【００１７】
さらに、ＶｏＩＰ技術を利用して音声パケットをリアルタイムで伝送する音声伝送方法であって、ネットワークにおけるロスや遅延揺らぎ吸収バッファのオーバーフロー・アンダーフローによって音声パケットが欠落した場合に、欠落した音声パケットを通話中に学習したホワイトノイズデータで補間して再生することにより、音声の途切れといった通話品質の劣化を防止することができ、相手との会話を支障なく行うことができるという有利な効果が得られる。
【００１８】
さらに、ＶｏＩＰ技術を利用して音声パケットをリアルタイムで伝送する音声伝送方法であって、ネットワークにおけるロスや遅延揺らぎ吸収バッファのオーバーフロー・アンダーフローによって音声パケットが欠落した場合に、欠落した音声パケットを音声パケットの前半部分は前の音声パケットで、後半部分は後の音声パケットで補間して再生することにより、欠落したパケットにより近いデータで補間して欠落したデータに近いデータで再生することができるので、音声の途切れといった通話品質の劣化を防止することができ、相手との会話を支障なく行うことができるという有利な効果が得られる。
【００１９】
さらに、デジタルデータをアナログデータに復号した後にアナログフィルタを設けることにより、さらにノイズフィルタリングする事でパケットロスをわからなくして音声品質を維持することができるので、音声の途切れといった通話品質の劣化を防止することができ、相手との会話を支障なく行うことができるという有利な効果が得られる。
【発明を実施するための最良の形態】
【００２０】
本発明は、パケットロスを低減して音声の途切れなどの通話品質の劣化を防止し、相手との会話を支障なく行うという目的を、音声パケットが欠落した場合に、欠落した音声パケットをその音声パケットの前後のパケット等で補間することにより実現した。
【００２１】
上記課題を解決するためになされた第１の発明は、ＶｏＩＰ技術を利用して音声パケットをリアルタイムで伝送する音声伝送方法であって、ネットワークにおけるロスや遅延揺らぎ吸収バッファのオーバーフロー・アンダーフローによって音声パケットが欠落した場合に、欠落した音声パケットの一つ前の音声パケットで欠落した音声パケットを補間して再生することとしたものであり、音声の途切れといった通話品質の劣化を防止することができ、相手との会話を支障なく行うことができるという作用・効果を有する。
【００２２】
上記課題を解決するためになされた第２の発明は、ＶｏＩＰ技術を利用して音声パケットをリアルタイムで伝送する音声伝送方法であって、ネットワークにおけるロスや遅延揺らぎ吸収バッファのオーバーフロー・アンダーフローによって音声パケットが欠落した場合に、欠落した音声パケットを次の音声パケットを受信するまで繰り返し前の音声パケットで補間して再生することとしたものであり、音声の途切れといった通話品質の劣化を防止することができ、相手との会話を支障なく行うことができるという作用・効果を有する。
【００２３】
上記課題を解決するためになされた第３の発明は、ＶｏＩＰ技術を利用して音声パケットをリアルタイムで伝送する音声伝送方法であって、ネットワークにおけるロスや遅延揺
らぎ吸収バッファのオーバーフロー・アンダーフローによって音声パケットが欠落した場合に、欠落した音声パケットの後ろの音声パケットで欠落した音声パケットを補間して再生することとしたものであり、音声の途切れといった通話品質の劣化を防止することができ、相手との会話を支障なく行うことができるという作用・効果を有する。
【００２４】
上記課題を解決するためになされた第４の発明は、ＶｏＩＰ技術を利用して音声パケットをリアルタイムで伝送する音声伝送方法であって、ネットワークにおけるロスや遅延揺らぎ吸収バッファのオーバーフロー・アンダーフローによって音声パケットが欠落した場合に、欠落した音声パケットの前後の音声パケットで平均した音声パケットで欠落した音声パケットを補間して再生することとしたものであり、音声の途切れといった通話品質の劣化を防止することができ、相手との会話を支障なく行うことができるという作用・効果を有する。
【００２５】
上記課題を解決するためになされた第５の発明は、ＶｏＩＰ技術を利用して音声パケットをリアルタイムで伝送する音声伝送方法であって、ネットワークにおけるロスや遅延揺らぎ吸収バッファのオーバーフロー・アンダーフローによって音声パケットが欠落した場合に、欠落した音声パケットをホワイトノイズデータで補間して再生することとしたものであり、音声の途切れといった通話品質の劣化を防止することができ、相手との会話を支障なく行うことができるという作用・効果を有する。
【００２６】
上記課題を解決するためになされた第６の発明は、ＶｏＩＰ技術を利用して音声パケットをリアルタイムで伝送する音声伝送方法であって、ネットワークにおけるロスや遅延揺らぎ吸収バッファのオーバーフロー・アンダーフローによって音声パケットが欠落した場合に、欠落した音声パケットを通話中に学習したホワイトノイズデータで補間して再生することとしたものであり、音声の途切れといった通話品質の劣化を防止することができ、相手との会話を支障なく行うことができるという作用・効果を有する。
【００２７】
上記課題を解決するためになされた第７の発明は、ＶｏＩＰ技術を利用して音声パケットをリアルタイムで伝送する音声伝送方法であって、ネットワークにおけるロスや遅延揺らぎ吸収バッファのオーバーフロー・アンダーフローによって音声パケットが欠落した場合に、欠落した音声パケットを音声パケットの前半部分は前の音声パケットで、後半部分は後の音声パケットで補間して再生することとしたものであり、欠落したパケットにより近いデータで補間して欠落したデータに近いデータで再生することができるので、音声の途切れといった通話品質の劣化を防止することができ、相手との会話を支障なく行うことができるという作用・効果を有する。
【００２８】
上記課題を解決するためになされた第８の発明は、デジタルデータをアナログデータに復号した後にアナログフィルタを設けることとしたものであり、さらにノイズフィルタリングする事でパケットロスをわからなくして音声品質を維持することができるので、音声の途切れといった通話品質の劣化を防止することができ、相手との会話を支障なく行うことができるという作用・効果を有する。
【００２９】
（実施の形態１）
図１は、本発明の実施の形態１による音声伝送方法（音声補間方法）を説明するための音声伝送システムを示す構成図である。
【００３０】
図１において、１は送信端末、２は受信端末、３はＩＰネットワーク、４は送信端末１側のルーター、５は受信端末２側のルーター、６はＩＰネットワーク３上で通信相手を見つけたり相手呼出中の情報伝達などの制御用パケットのやり取りするためのサーバー、７は送信端末１側のＶｏＩＰ  ＧＷ（Ｇａｔｅｗａｙ）（アナログ音声信号をＩＰパケット
化する機器）、８は受信端末２側のＶｏＩＰ  ＧＷ、１１〜１６はＩＰネットワーク３上のＩＰパケットモデル部である。
【００３１】
このように構成された音声伝送システムについて、その動作を説明する。
【００３２】
送信端末１より入力された音声情報は、ＶｏＩＰ  ＧＷ７で符号化・ＩＰパケット化されて、ＩＰネットワーク１上のルーター４に送られる。ルーター４では、受けたＩＰパケットの制御データからサーバー６との間で、通信相手を見つけたり、相手呼出中の情報伝達など制御データのやり取りを行う。そして、通信相手がルーター５とすれば、ＩＰパケットモデル部１１〜１６のＩＰネットワーク３上のＩＰパケットモデルＡ〜Ｆ（図９のパケット生成器１０５で生成されるモデル）をルーター５に送信する。ルーター５は、受信端末２に接続する為に、それが接続されているＶｏＩＰ  ＧＷ８にＩＰパケットモデル部１１〜１６のＩＰパケットモデルＡ〜Ｆが送られる。ここで、ＩＰ電話におけるデータ転送時のパケットロスは、ＩＰネットワーク３上のノードにおいてトラフィックが集中して輻輳が発生した時や、音声パケットの揺らぎ吸収バッファ１０７（図９参照）のオーバーフローやアンダーフローによってパケットが破棄されることで起こる。この時、本実施の形態では、図１に示すように、欠落したＩＰパケットモデル部１３のＩＰパケットモデルＣとＩＰパケットモデル部１４のＩＰパケットモデルＤを前のデータであるＩＰパケットモデル部１２のＩＰパケットモデルＢで補間（補間は図９の音声補間器１１０で行われる）する。そして、ＶｏＩＰ  ＧＷ８では、送信時とは逆の処理で、ＩＰパケット化された音声データを復号化して受信端末２に音声情報を送り、送信端末１と受信端末２の通話が完了する。
【００３３】
以上のように本実施の形態では、欠落した音声パケットを前のデータで補間する事で、通話中に音声がブツブツと途切れるといった通話品質の劣化を回避することが可能となり、相手との会話を支障なく行うことができる。
【００３４】
（実施の形態２）
図２は、本発明の実施の形態２による音声伝送方法（音声補間方法）を説明するための音声伝送システムを示す構成図である。
【００３５】
図２において、送信端末１、受信端末２、ＩＰネットワーク３、ルーター４、５、サーバー６、ＶｏＩＰ  ＧＷ７、８、ＩＰパケットモデル部１１〜１６は図１と同様のものなので、同一符号を付し、説明は省略する。
【００３６】
このように構成された音声伝送システムについて、その動作を説明する。
【００３７】
実施の形態１と同様に、送信端末１より入力された音声情報は、ＶｏＩＰ  ＧＷ７で符号化・ＩＰパケット化されて、ＩＰネットワーク３上のルーター４に送られる。ルーター４では、受けたＩＰパケットの制御データからサーバー６との間で、通信相手を見つけたり相手呼出中の情報伝達など制御データのやり取りを行う。そして、通信相手がルーター５とすれば、ＩＰパケットモデル部１１〜１６のＩＰネットワーク３上のＩＰパケットモデルＡ〜Ｆをルーター５に送信する。ルーター５は、受信端末２に接続する為に、それが接続されているＶｏＩＰ  ＧＷ８にＩＰパケットモデル部１１〜１６のＩＰパケットモデルＡ〜Ｆが送られる。ここで、ＩＰ電話におけるデータ転送時のパケットロスは、ＩＰネットワーク３上のノードにおいてトラフィックが集中して輻輳が発生した時や、音声パケットの揺らぎ吸収バッファのオーバーフローやアンダーフローによってパケットが破棄されることで起こる。この時、図２に示すように、欠落したＩＰパケットモデル部１３のＩＰパケットモデルＣとＩＰパケットモデル部１４のＩＰパケットモデルＤを次の音声データが到着するまで前のデータであるＩＰパケットモデル部１２のＩＰパケットモデルＢで
補間する。そして、ＶｏＩＰ  ＧＷ８では、送信時とは逆の処理で、ＩＰパケット化された音声データを復号化して受信端末２に音声情報を送り、送信端末１と受信端末２の通話が完了する。
【００３８】
以上のように本実施の形態によれば、欠落した音声パケットを次の音声データが来るまで前のデータで補間する事で、通話中に音声がブツブツと途切れるといった通話品質の劣化を回避することが可能となり、相手との会話を支障なく行うことができる。
【００３９】
（実施の形態３）
図３は、本発明の実施の形態３による音声伝送方法（音声補間方法）を説明するための音声伝送システムを示す構成図である。
【００４０】
図３において、送信端末１、受信端末２、ＩＰネットワーク３、ルーター４、５、サーバー６、ＶｏＩＰ  ＧＷ７、８、ＩＰパケットモデル部１１〜１６は図１と同様のものなので、同一符号を付し、説明は省略する。
【００４１】
このように構成された音声伝送システムについて、その動作を説明する。
【００４２】
送信端末１より入力された音声情報は、ＶｏＩＰ  ＧＷ７で符号化・ＩＰパケット化されて、ＩＰネットワーク３上のルーター４に送られる。ルーター４では、受けたＩＰパケットの制御データからサーバー６との間で、通信相手を見つけたり、相手呼出中の情報伝達など制御データのやり取りを行う。そして、通信相手がルーター５とすれば、ＩＰパケットモデル部１１〜１６のＩＰネットワーク３上のＩＰパケットモデルＡ〜Ｆをルーター５に送信する。ルーター５は、受信端末２に接続する為に、それが接続されているＶｏＩＰ  ＧＷ８にＩＰパケットモデル部１１〜１６のＩＰパケットモデルＡ〜Ｆが送られる。ここで、ＩＰ電話におけるデータ転送時のパケットロスは、ＩＰネットワーク３上のノードにおいてトラフィックが集中して輻輳が発生した時や、音声パケットの揺らぎ吸収バッファのオーバーフローやアンダーフローによってパケットが破棄されることで起こる。この時、本実施の形態では、図３に示すように、欠落したＩＰパケットモデル部１３のＩＰパケットモデルＣとＩＰパケットモデル部１４のＩＰパケットモデルＤを後のデータであるＩＰパケットモデル部１５のＩＰパケットモデルＥで補間する。そして、ＶｏＩＰ  ＧＷ８では、送信時とは逆の処理で、ＩＰパケット化された音声データを復号化して受信端末２に音声情報を送り、送信端末１と受信端末２の通話が完了する。
【００４３】
以上のように本実施の形態によれば、欠落した音声パケットを後のデータで補間する事で、通話中に音声がブツブツと途切れるといった通話品質の劣化を回避することが可能となり、相手との会話を支障なく行うことができる。
【００４４】
（実施の形態４）
図４は、本発明の実施の形態４による音声伝送方法（音声補間方法）を説明するための音声伝送システムを示す構成図である。
【００４５】
図４において、送信端末１、受信端末２、ＩＰネットワーク３、ルーター４、５、サーバー６、ＶｏＩＰ  ＧＷ７、８、ＩＰパケットモデル部１１〜１６は図１と同様のものなので、同一符号を付し、説明は省略する。
【００４６】
このように構成された音声伝送システムについて、その動作を説明する。
【００４７】
送信端末１より入力された音声情報は、ＶｏＩＰ  ＧＷ７で符号化・ＩＰパケット化されて、ＩＰネットワーク３上のルーター４に送られる。ルーター４では、受けたＩＰパケ
ットの制御データからサーバー６との間で、通信相手を見つけたり、相手呼出中の情報伝達など制御データのやり取りを行う。そして、通信相手がルーター５とすれば、ＩＰパケットモデル部１１〜１６のＩＰネットワーク３上のＩＰパケットモデルＡ〜Ｆをルーター５に送信する。ルーター５は、受信端末２に接続する為に、それが接続されているＶｏＩＰ  ＧＷ８にＩＰパケットモデル部１１〜１６のＩＰパケットモデルＡ〜Ｆが送られる。ここで、ＩＰ電話におけるデータ転送時のパケットロスは、ＩＰネットワーク３上のノードにおいてトラフィックが集中して輻輳が発生した時や、音声パケットの揺らぎ吸収バッファのオーバーフローやアンダーフローによってパケットが破棄されることで起こる。この時、本実施の形態では、図５に示すように、欠落したＩＰパケットモデル部１３のＩＰパケットモデルＣとＩＰパケットモデル部１４のＩＰパケットモデルＤを前のデータであるＩＰパケットモデル部１２のＩＰパケットモデルＢと後のデータであるＩＰパケットモデル部１５のＩＰパケットモデルＥの平均したデータで補間する。そして、ＶｏＩＰ  ＧＷ８では、送信時とは逆の処理で、ＩＰパケット化された音声データを復号化して受信端末２に音声情報を送り、送信端末１と受信端末２の通話が完了する。
【００４８】
以上のように本実施の形態によれば、欠落した音声パケットを前後のデータの平均したデータで補間する事で、通話中に音声がブツブツと途切れるといった通話品質の劣化を回避することが可能となり、相手との会話を支障なく行うことができる。
【００４９】
（実施の形態５）
図５は、本発明の実施の形態５による音声伝送方法（音声補間方法）を説明するための音声伝送システムを示す構成図である。
【００５０】
図５において、送信端末１、受信端末２、ＩＰネットワーク３、ルーター４、５、サーバー６、ＶｏＩＰ  ＧＷ７、８、ＩＰパケットモデル部１１〜１６は図１と同様のものなので、同一符号を付し、説明は省略する。
【００５１】
このように構成された音声伝送システムについて、その動作を説明する。
【００５２】
送信端末１より入力された音声情報は、ＶｏＩＰ  ＧＷ７で符号化・ＩＰパケット化されて、ＩＰネットワーク３上のルーター４に送られる。ルーター４では、受けたＩＰパケットの制御データからサーバー６との間で、通信相手を見つけたり、相手呼出中の情報伝達など制御データのやり取りを行う。そして、通信相手がルーター５とすれば、ＩＰパケットモデル部１１〜１６のＩＰネットワーク３上のＩＰパケットモデルＡ〜Ｆをルーター５に送信する。ルーター５は、受信端末２に接続する為に、それが接続されているＶｏＩＰ  ＧＷ８にＩＰパケットモデル部１１〜１６のＩＰパケットモデルＡ〜Ｆが送られる。ここで、ＩＰ電話におけるデータ転送時のパケットロスは、ＩＰネットワーク３上のノードにおいてトラフィックが集中して輻輳が発生した時や、音声パケットの揺らぎ吸収バッファのオーバーフローやアンダーフローによってパケットが破棄されることで起こる。この時、本実施の形態では、図６に示すように、欠落したＩＰパケットモデル部１３のＩＰパケットモデルＣとＩＰパケットモデル部１４のＩＰパケットモデルＤをホワイトノイズのデータで補間する。そして、ＶｏＩＰ  ＧＷ８では、送信時とは逆の処理で、ＩＰパケット化された音声データを復号化して受信端末２に音声情報を送り、送信端末１と受信端末２の通話が完了する。
【００５３】
以上のように本実施の形態によれば、欠落した音声パケットをホワイトノイズのデータで補間する事で、通話中に音声がブツブツと途切れるといった通話品質の劣化を回避することが可能となり、相手との会話を支障なく行うことができる。
【００５４】
（実施の形態６）
図６は、本発明の実施の形態６による音声伝送方法（音声補間方法）を説明するための音声伝送システムを示す構成図である。
【００５５】
図６において、送信端末１、受信端末２、ＩＰネットワーク３、ルーター４、５、サーバー６、ＶｏＩＰ  ＧＷ７、８、ＩＰパケットモデル部１１〜１６は図１と同様のものなので、同一符号を付し、説明は省略する。
【００５６】
このように構成された音声伝送システムについて、その動作を説明する。
【００５７】
送信端末１より入力された音声情報は、ＶｏＩＰ  ＧＷ７で符号化・ＩＰパケット化されて、ＩＰネットワーク３上のルーター４に送られる。ルーター４では、受けたＩＰパケットの制御データからサーバー６との間で、通信相手を見つけたり、相手呼出中の情報伝達など制御データのやり取りを行う。そして、通信相手がルーター５とすれば、ＩＰパケットモデル部１１〜１６のＩＰネットワーク３上のＩＰパケットモデルＡ〜Ｆをルーター５に送信する。ルーター５は、受信端末２に接続する為に、それが接続されているＶｏＩＰ  ＧＷ８にＩＰパケットモデル部１１〜１６のＩＰパケットモデルＡ〜Ｆが送られる。ここで、ＩＰ電話におけるデータ転送時のパケットロスは、ＩＰネットワーク３上のノードにおいてトラフィックが集中して輻輳が発生した時や、音声パケットの揺らぎ吸収バッファのオーバーフローやアンダーフローによってパケットが破棄されることで起こる。この時、本実施の形態では、図７に示すように、欠落したＩＰパケットモデル部１３のＩＰパケットモデルＣとＩＰパケットモデル部１４のＩＰパケットモデルＤを通信中に学習したホワイトノイズのデータで補間する。そして、ＶｏＩＰ  ＧＷ８では、送信時とは逆の処理で、ＩＰパケット化された音声データを復号化して受信端末２に音声情報を送り、送信端末１と受信端末２の通話が完了する。
【００５８】
以上のように本実施の形態によれば、欠落した音声パケットを通信中の学習したホワイトノイズのデータで補間する事で、通話中に音声がブツブツと途切れるといった通話品質の劣化を回避することが可能となり、相手との会話を支障なく行うことができる。
【００５９】
（実施の形態７）
図７は、本発明の実施の形態７による音声伝送方法（音声補間方法）を説明するための音声伝送システムを示す構成図である。
【００６０】
図７において、送信端末１、受信端末２、ＩＰネットワーク３、ルーター４、５、サーバー６、ＶｏＩＰ  ＧＷ７、８、ＩＰパケットモデル部１１〜１６は図１と同様のものなので、同一符号を付し、説明は省略する。
【００６１】
このように構成された音声伝送システムについて、その動作を説明する。
【００６２】
送信端末１より入力された音声情報は、ＶｏＩＰ  ＧＷ７で符号化・ＩＰパケット化されて、ＩＰネットワーク３上のルーター４に送られる。ルーター４では、受けたＩＰパケットの制御データからサーバー６との間で、通信相手を見つけたり、相手呼出中の情報伝達など制御データのやり取りを行う。そして、通信相手がルーター５とすれば、ＩＰパケットモデル部１１〜１６のＩＰネットワーク３上のＩＰパケットモデルＡ〜Ｆをルーター５に送信する。ルーター５は、受信端末２に接続する為に、それが接続されているＶｏＩＰ  ＧＷ８にＩＰパケットモデル部１１〜１６のＩＰパケットモデルＡ〜Ｆが送られる。ここで、ＩＰ電話におけるデータ転送時のパケットロスは、ＩＰネットワーク３上のノードにおいてトラフィックが集中して輻輳が発生した時や、音声パケットの揺らぎ吸収バッファのオーバーフローやアンダーフローによってパケットが破棄されることで起こる。この時、本実施の形態では、図８に示すように、欠落したＩＰパケットモデル部１３のＩＰ
パケットモデルＣとＩＰパケットモデル部１４のＩＰパケットモデルＤを２分割し、ＩＰパケットの前半部分は前のデータであるＩＰパケットモデル部１２のＩＰパケットモデルＢで、ＩＰパケットの後半部分は後のデータであるＩＰパケットモデル部１５のＩＰパケットモデルＥのデータで各々を補間する。そして、ＶｏＩＰ  ＧＷ８では、送信時とは逆の処理で、ＩＰパケット化された音声データを復号化して受信端末２に音声情報を送り、送信端末１と受信端末２の通話が完了する。
【００６３】
以上のように本実施の形態によれば、欠落した音声パケットを２分割して、前半部分は前のデータで補間し後半部分は後のデータで補間する事で、通話中に音声がブツブツと途切れるといった通話品質の劣化を回避することが可能となり、相手との会話を支障なく行うことができる。
【００６４】
（実施の形態８）
図８は、本発明の実施の形態８による音声伝送方法（音声補間方法）を説明するための音声伝送システムを示す構成図である。
【００６５】
図８において、送信端末１、受信端末２、ＩＰネットワーク３、ルーター４、５、サーバー６、ＶｏＩＰ  ＧＷ７、８、ＩＰパケットモデル部１１〜１６は図１と同様のものなので、同一符号を付し、説明は省略する。９は受信端末２に内蔵されたノイズフィルタである。すなわち、本実施の形態では、実施の形態１の構成にノイズフィルタ９を追加した構成となっている。
【００６６】
このように構成された音声伝送システムについて、その動作を説明する。
【００６７】
送信端末１より入力された音声情報は、ＶｏＩＰ  ＧＷ７で符号化・ＩＰパケット化されて、ＩＰネットワーク３上のルーター４に送られる。ルーター４では、受けたＩＰパケットの制御データからサーバー６との間で、通信相手を見つけたり、相手呼出中の情報伝達など制御データのやり取りを行う。そして、通信相手がルーター５とすれば、ＩＰパケットモデル部１１〜１６のＩＰネットワーク３上のＩＰパケットモデルＡ〜Ｆをルーター５に送信する。ルーター５は、受信端末２に接続する為に、それが接続されているＶｏＩＰ  ＧＷ８にＩＰパケットモデル部１１〜１６のＩＰパケットモデルＡ〜Ｆが送られる。ここで、ＩＰ電話におけるデータ転送時のパケットロスは、ＩＰネットワーク３上のノードにおいてトラフィックが集中して輻輳が発生した時や、音声パケットの揺らぎ吸収バッファのオーバーフローやアンダーフローによってパケットが破棄されることで起こる。この時、本実施の形態では、図９に示すように、欠落したＩＰパケットモデル部１３のＩＰパケットモデルＣとＩＰパケットモデル部１４のＩＰパケットモデルＤを前のデータであるＩＰパケットモデル部１２のＩＰパケットモデルＢで補間する。そして、ＶｏＩＰ  ＧＷ８では、送信時とは逆の処理で、ＩＰパケット化された音声データを復号化して受信端末２に音声情報を送る時にノイズフィルタ９を通すことで欠落したパケット部分をわからなくして、送信端末１と受信端末２の通話が完了する。
【００６８】
以上のように本実施の形態によれば、欠落した音声パケットを前のデータで補間する事で、通話中に音声がブツブツと途切れるといった通話品質の劣化を回避することが可能となり、更にデータを復号化する際にノイズフィルタ９を通すことで欠落パケットの部分をわからなくするので相手との会話をより支障なく行うことができる。
【産業上の利用可能性】
【００６９】
本発明は、ＶｏＩＰ技術を利用して音声パケットをリアルタイムで伝送する音声伝送方法に関し、パケットロスを低減して音声の途切れなどの通話品質の劣化を防止することができ、相手との会話を支障なく行うことができる。
【図面の簡単な説明】
【００７０】
【図１】本発明の実施の形態１による音声伝送方法（音声補間方法）を説明するための音声伝送システムを示す構成図
【図２】本発明の実施の形態２による音声伝送方法（音声補間方法）を説明するための音声伝送システムを示す構成図
【図３】本発明の実施の形態３による音声伝送方法（音声補間方法）を説明するための音声伝送システムを示す構成図
【図４】本発明の実施の形態４による音声伝送方法（音声補間方法）を説明するための音声伝送システムを示す構成図
【図５】本発明の実施の形態５による音声伝送方法（音声補間方法）を説明するための音声伝送システムを示す構成図
【図６】本発明の実施の形態６による音声伝送方法（音声補間方法）を説明するための音声伝送システムを示す構成図
【図７】本発明の実施の形態７による音声伝送方法（音声補間方法）を説明するための音声伝送システムを示す構成図
【図８】本発明の実施の形態８による音声伝送方法（音声補間方法）を説明するための音声伝送システムを示す構成図
【図９】ＩＰ電話の基本的な通話のしくみを示す説明図
【符号の説明】
【００７１】
１    送信端末
２    受信端末
３、１０６    ＩＰネットワーク
４、５    ルーター
６    サーバー
７    ＶｏＩＰ  ＧＷ
９    ノイズフィルタ
１１、１２、１３、１４、１５、１６    ＩＰパケットモデル部
１０１    マイク
１０２    符号器
１０３    無音圧縮器
１０４    音声圧縮器
１０５    パケット生成器
１０７    揺らぎ吸収バッファ
１０８    パケット分解器
１０９    音声無音伸長器
１１０    音声補間器
１１１    復号器
１１２    スピーカ
【図１】
2005157045.tif 000003
【図２】
2005157045.tif 000004
【図３】
2005157045.tif 000005
【図４】
2005157045.tif 000006
【図５】
2005157045.tif 000007
【図６】
2005157045.tif 000008
【図７】
2005157045.tif 000009
【図８】
2005157045.tif 000010
【図９】
2005157045.tif 000011